(57)【要約】【課題】光ディスクを駆動する際に生じる振動が抑制され、動作の安定性と確実性とを向上されたディスク装置及びそのメカシャーシを提供する。【解決手段】光ディスク１１０を回転駆動するスピンドルモータ１と、光ピックアップ本体５を移動させるＤＣモータ２とを有するメカシャーシ１０がダンパ８ａ〜８ｄにより支持されている構成において、ＤＣモータ２をスピンドルモータ１を介して光ピックアップ本体５と反対側であって、且つスピンドルモータ１よりもディスク挿入／排出側に設ける。また、これを支持するダンパ８ａ〜８ｄにおいて、重心が偏っている側のダンパの弾性係数を大きく構成する。これにより、動作の安定性と確実性とを更に向上させることが可能となる。【選択図】          図３
2004178769.tif 000002
【特許請求の範囲】
【請求項１】
光ディスクを回転するためのスピンドルモータと、該光ディスクから光学的に情報を読み取るための光ピックアップを移動させるための駆動モータとが設けられたメカシャーシを有するディスク装置において、
前記駆動モータは前記スピンドルモータを介して前記光ピックアップと反対側に設けられていることを特徴とするディスク装置。
【請求項２】
前記駆動モータは前記光ディスクが挿入／排出される側に設けられていることを特徴とする請求項１記載のディスク装置。
【請求項３】
前記駆動モータは前記スピンドルモータよりも前記光ディスクが挿入／排出される側に設けられていることを特徴とする請求項１記載のディスク装置。
【請求項４】
前記駆動モータはステップモータであることを特徴とする請求項１から３の何れか１項に記載のディスク装置。
【発明の詳細な説明】
【０００１】
【発明の属する技術分野】
本発明は、光ディスクを回転するためのスピンドルモータと、光ディスクから光学的に情報を読み取るための光ピックアップを移動させるための駆動モータとを有するディスク装置及びそのメカシャーシに関する。
【０００２】
【従来の技術】
従来、光ディスクを読み出し／書き込みするディスク装置におけるメカシャーシは、これを支持する弾性部材であるダンパに同一の構成を使用するために、重心が水平面における略中心に位置されるように構成されていた。このようなメカシャーシ１００の構成を、従来技術１として図１に示す。
【０００３】
図１に示すように、従来技術１では、光ディスク１１０がはみ出して設置されるように構成され、また、スピンドルモータ１が水平面（但し、光ディスク１１０が設置される面方向を水平とする）における中心Ｃに対して偏った位置に配置されているメカシャーシ１００において、メカシャーシ１００における重心位置を中心Ｃに近づけるために、ＤＣモータである駆動モータ１０２がスピンドルモータ１０１に対して対角側に設けられていた。
【０００４】
また、駆動モータ１０２が小型化されたことに伴い、図２に示すように、駆動モータ１０２が光ディスク１１０の内周側に設けられた構成が考えられた（例えば特許文献１参照）。以下、これを従来技術２とする。
【０００５】
【特許文献１】
特開平２０００−１３２９２５号公報
【０００６】
【発明が解決しようとする課題】
しかしながら、図１に示すように構成した場合、メカシャーシ１００の重心がスピンドルモータ１０１からある程度離された位置に設けられているため、光ディスク１１０を回転駆動した際にメカシャーシ１００が、ディスク挿入方向及びこれと垂直水平方向に対して振動してしまうという問題が発生する。
【０００７】
また、図２に示すような構成でも、駆動モータ１０２がスピンドルモータ１０１に関して光ピックアップ本体１０５と同一側に設けられているため、メカシャーシ２００の重心とスピンドルモータ１０１との間が十分に近接しておらず、同様に光ディスク１１０を回転駆動した際にメカシャーシ２００が、ディスク挿入方向及びこれと垂直水平方向に対して振動してしまうという問題が発生する。
【０００８】
本発明は、このような問題に鑑みてなされたものであり、光ディスクを駆動する際に生じる振動が抑制され、動作の安定性と確実性とを向上されたディスク装置及びそのメカシャーシを提供することを目的とする。
【０００９】
【課題を解決するための手段】
かかる目的を達成するために、本発明は、請求項１記載のように、光ディスクを回転するためのスピンドルモータと、該光ディスクから光学的に情報を読み取るための光ピックアップを移動させるための駆動モータとが設けられたメカシャーシを有するディスク装置において、前記駆動モータが前記スピンドルモータを介して前記光ピックアップと反対側に設けられているように構成される。このように、駆動モータをスピンドルモータを介して光ピックアップと反対側に配置した構成を有することで、メカシャーシの重心がスピンドルモータに近づき、光ディスクを駆動する際に生じる振動が抑制され、動作の安定性と確実性とを向上させることが可能となる。
【００１０】
また、請求項１記載の前記ディスク装置は、好ましくは請求項２記載のように、前記駆動モータが前記光ディスクが挿入／排出される側に設けられている構成とされる。
【００１１】
また、請求項１記載の前記ディスク装置は、好ましくは請求項３記載のように、前記駆動モータが前記スピンドルモータよりも前記光ディスクが挿入／排出される側に設けられている構成とされる。
【００１２】
また、請求項１から３の何れか１項に記載された前記ディスク装置は、好ましくは請求項４記載のように、前記駆動モータがステップモータであるように構成される。このようにステップモータを使用することで、構成をより簡素にすることが可能となる。
【００１３】
【発明の実施の形態】
以下、本発明の好適な実施形態について図面を用いて詳細に説明する。
【００１４】
〔第１の実施形態〕
まず、本発明の第１の実施形態について図面を用いて詳細に説明する。図３は本発明の第１の実施形態によるディスク装置１０Ａにおけるメカシャーシ１０の構成を示す図である。尚、本実施形態では、光ピックアップ本体（５）を移動させるための駆動モータ（又はスレッドモータ）としてＤＣモータ（２）を使用した場合について例を挙げて説明する。
【００１５】
図３に示すように、メカシャーシ１０には、ＣＤ（コンパクトディスク）−ＲＯＭやＣＤ−Ｒ／ＲＷやＤＶＤ（デジタルビデオディスク）−ＲＯＭ等の光ディスク１１０を回転駆動するためのスピンドルモータ１と、光ピックアップ本体５を移動させるためのＤＣモータ２と、ＤＣモータ２からの動力をステッピングギア３に伝えるためのギア機構７と、ギア機構７の回転に応じて光ピックアップ本体５の位置を移動させるアーム部４と、光ピックアップ本体５の移動方向をガイドするガイドシャフト６とが設けられている。また、このように構成されたメカシャーシ１０は図示しないサブシャーシ又はメインシャーシ上にダンパ８ａ〜８ｄにより支持されている。
【００１６】
尚、本実施形態では、スピンドルモータ１がメカシャーシ１０の水平面（但し、光ディスク１１０が設置される面方向を水平とする）における中心Ｃに対して偏った位置に配置されている。即ち、本実施形態では、メカシャーシ１０自体の大きさは光ディスク１１０の大きさに制約されず、光ディスク１１０がメカシャーシ１０に対してはみ出して設置されるように構成される。これにより、メカシャーシ１０及びこれを搭載するディスク装置１０Ａを小型化することが可能となる。
【００１７】
ここで、図３を参照すると明らかなように、本実施形態によるＤＣモータ２はメカシャーシの水平面における中心Ｃよりもスピンドルモータ１側に設けられている。更に言及すると、ＤＣモータ２はスピンドルモータ１を介して光ピックアップ本体５と反対側であって、且つスピンドルモータ１よりもディスク挿入／排出側に設けられている。このような構成を有することで、本実施形態ではメカシャーシ１０の重心が、ディスク挿入／排出方向においてスピンドルモータ１が設けられた位置に近づく。これにより、光ディスク１１０を駆動する際に生じるディスク挿入／排出方向の振動が抑制され、動作の安定性と確実性とを向上させることが可能となる。
【００１８】
ここで、メカシャーシ１０の重心がディスク挿入／排出方向においてスピンドルモータ１側に偏っていることから、これを支持する弾性部材であるダンパ８ａ〜８ｄにおいて、重心が偏っている側のダンパ（図３では８ｃ，８ｄ）の弾性係数を大きく、即ち大きく加重される側のダンパを、材質若しくは構造上において強い強度の弾性部材で構成する。これにより、動作の安定性と確実性とを更に向上させることが可能となる。
【００１９】
また、図３を参照すると明らかなように、本実施形態によるＤＣモータ２はステッピングギア３よりもスピンドルモータ１側にギア機構７を介して設けられている。このような構成を有することで、本実施形態ではメカシャーシ１０の重心が、ディスク挿入／排出方向と垂直水平方向においてスピンドルモータ１が設けられた位置に近づく。これにより、光ディスク１１０を駆動する際に生じるディスク挿入／排出方向と垂直水平方向の振動が抑制され、動作の安定性と確実性とを向上させることが可能となる。
【００２０】
ここで、メカシャーシ１０の重心がディスク挿入／排出方向と垂直水平方向においてスピンドルモータ１側に偏っていることから、これを支持するダンパ８ａ〜８ｄにおいて、重心が偏っている側のダンパ（図３では８ｂ，８ｃ）の弾性係数を大きく、即ち大きく加重される側のダンパを、材質若しくは構造上において強い強度の弾性部材で構成する。これにより、動作の安定性と確実性とを更に向上させることが可能となる。
【００２１】
また、図４を用いて、本実施形態によるメカシャーシ１０の光ディスク１１０を駆動した際の各方向への加速度（振動）を示す。また、比較のために、上記で説明した従来技術１によるメカシャーシ１００に関するグラフも示す。尚、図４において、Ｚ方向とはディスク装置１０Ａにおける水平面と垂直方向である。また、Ｒ方向とはディスク挿入／排出方向である。Ｊ方向とはディスク挿入／排出方向と垂直水平方向である。
【００２２】
図４を参照すると明らかなように、本実施形態によるディスク装置１０Ａにおけるメカシャーシ１０では、従来技術１によるメカシャーシ１００と比較してＲ方向及びＺ方向における光ディスク１１０駆動時の加速度が軽減されている。即ち、本実施形態によれば、Ｒ方向に関しては従来技術２と比較して約２／３倍程度の加速度の改善がなされ、Ｚ方向に関しては従来技術２と比較して約５／６倍程度の加速度の改善がなされる。これは光ディスク１１０駆動時の振動が抑制されていることを意味する。
【００２３】
以上のように、本実施形態ではＤＣモータ２をスピンドルモータ１に近接させて構成することで、メカシャーシ１０の重心をスピンドルモータ１が設けられた位置に近づけられ、これにより、光ディスク１１０を駆動する際に生じる振動が抑制され、動作の安定性と確実性とを向上させることが可能となる。また、各ダンパ８ａ〜８ｄの弾性係数を、メカシャーシ１０による比重を考慮して決定することで、上記の効果を更に向上させることができる。
【００２４】
〔第２の実施形態〕
次に、本発明の第２の実施形態について図面を用いて詳細に説明する。第１の実施形態では、光ピックアップ本体５を移動させるためにＤＣモータ２（図３参照）を使用した場合について説明した。これに対し、本実施形態では光ピックアップ本体５を移動させるためにステップモータ２２を使用した場合を例に挙げて説明する。
【００２５】
図５は、本実施形態によるディスク装置２０Ａにおけるメカシャーシ２０の構成を示す図である。但し、図３と同一の構成には同一の符号を付して説明する。
【００２６】
図５に示すように、メカシャーシ２０には、スピンドルモータ１と、光ピックアップ本体５を移動させるためのステップモータ２２と、ステップモータ２２からの動力により回転するリードスクリュー２３と、リードスクリュー２３の回転に応じて光ピックアップ本体５の位置を移動させるアーム部４と、光ピックアップ本体５の移動方向をガイドするガイドシャフト６とが設けられている。また、このように構成されたメカシャーシ２０は図示しないサブシャーシ又はメインシャーシ上にダンパ８ａ〜８ｄにより支持されている。
【００２７】
このように駆動系にステップモータ２２を使用することで、第１の実施形態と比較してギア機構（７）を使用する必要がなくなり、構成をより簡素とすることが可能となる。尚、他の構成及び効果は第１の実施形態と同様であるため、ここでは説明を省略する。
【００２８】
但し、以上で説明した各実施形態は本発明の好適な一実施形態にすぎず、本発明はその趣旨を逸脱しない限り種々変形して実施可能である。
【００２９】
【発明の効果】
以上説明したように、本発明では、光ディスクを駆動する際に生じる振動が抑制され、動作の安定性と確実性とを向上されたディスク装置及びそのメカシャーシを提供することが可能となる。
【図面の簡単な説明】
【図１】従来技術１によるメカシャーシ１００の構成を示す図である。
【図２】従来技術２によるメカシャーシ２００の構成を示す図である。
【図３】本発明の第１の実施形態によるメカシャーシ１０の構成を示す図である。
【図４】図３に示すメカシャーシ１０及び図１に示すメカシャーシ１００に発生する振動を比較するための図である。
【図５】本発明の第２の実施形態によるメカシャーシ２０の構成を示す図である。
【符号の説明】
１  スピンドルモータ
２  ＤＣモータ
３  ステッピングギア
７  ギア機構
８ａ〜８ｄ  ダンパ
１０、２０  メカシャーシ
１０Ａ、２０Ａ  ディスク装置
２２  ステップモータ
２３  リードスクリュー
【図１】
2004178769.tif 000003
【図２】
2004178769.tif 000004
【図３】
2004178769.tif 000005
【図４】
2004178769.tif 000006
【図５】
2004178769.tif 000007